(57)【要約】【課題】  栓蓋、排水栓軸、目皿を備えた排水栓で、目皿を排水栓軸に係止する弾性部材の劣化や破損を防止するとともに、目皿を排水栓軸に装着する時に誤装着のない排水栓を提供することを目的とする。【解決手段】  栓蓋と、栓蓋から垂設した排水栓軸と、排水栓軸を取り巻くように配置され排水口内での排水栓軸の傾きを矯正する矯正部材と、排水栓軸に着脱可能に取り付けられる目皿を備え、手洗い器や洗面器等の排水口に着脱自在に装着できる排水栓において、前記排水栓軸の外周面または前記目皿の内周面に弾性部材を設け、前記弾性部材の弾性力によって前記目皿を前記排水栓軸に取り付けた。【選択図】  図６
2005273413.tif 000002
【特許請求の範囲】
【請求項１】
栓蓋と、該栓蓋から垂設した排水栓軸と、該排水栓軸に着脱可能に取り付けられる目皿を備え、手洗い器や洗面器等の排水口に着脱自在に装着できる排水栓において、前記排水栓軸の外周面または前記目皿の内周面に弾性部材を設け、前記弾性部材の弾性力によって前記目皿を前記排水栓軸に取り付けたことを特徴とする排水栓。
【請求項２】
請求項１記載の排水栓において、前記排水栓軸を取り巻くように配置され排水口内での前記排水栓軸の傾きを矯正する矯正部材を備え、前記目皿を前記栓蓋からの距離を一定に保つストッパ部を、前記矯正部材に取り付けたことを特徴とする排水栓。
【請求項３】
請求項１記載の排水栓において、前記目皿を前記栓蓋からの距離を一定に保つストッパ部を、前記排水栓軸に設けたことを特徴とする排水栓。
【請求項４】
請求項２、３何れか１項に記載の排水栓は、湯水を溜めるボウル部と、前記ボウル部からの溢れ水を防止する溢れ口と、前記ボウル部の底部に設けた排水口と、前記溢れ口から前記排水口に通じる排水通路を備えた洗面器に着脱自在に装着するものであって、前記目皿が前記排水通路の下方に位置するように前記ストッパー部を設けたことを特徴とする排水栓。
【請求項５】
請求項１〜４の何れか１項に記載の排水栓において、前記目皿は、前記内周面を有する内壁と、外壁と、毛髪やコンタクトレンズ等を捕捉する捕捉壁と、排水のための開口孔を備え、前記目皿の高さ方向に対して対称形状に形成したことを特徴とする排水栓。
【発明の詳細な説明】
【技術分野】
【０００１】
本発明は、栓蓋と、排水栓軸と、排水栓軸に着脱可能に取付けられる目皿を備え、手洗い器や洗面器や流し台などの排水口に着脱自在に装着できる排水栓に関するものである。
【背景技術】
【０００２】
従来より、手洗い器や洗面器や流し台等の底部に開設した排水口に着脱自在に装着させる排水栓が多く提案されている。すなわち、栓蓋を支持する支持軸に一体的に目皿を備えた排水栓が一般的であったが、使用者がこの排水栓の目皿に引っ掛かった毛髪や、糸屑等のゴミを取り除くため、清掃しようとした場合には、支持軸と目皿が一体的に構成されているため、指を目皿に沿って清掃しなければならず、清掃性が悪かった、という問題があった。
【０００３】
そこで、この問題を解決するために、栓蓋と栓蓋を支持する支持軸と支持軸の外周にスライド自在に嵌装された目皿と目皿の抜落を防止する弾性部材とから構成された排水栓が提案されている。この従来品は栓蓋を支持する丸棒状の支持軸が栓蓋の下面から垂設している。この支持軸の外周面の略中央部に凹溝を周設し、この凹溝に支持軸より僅かに大径なる弾性部材を嵌入しており、この弾性部材より上方に毛髪、コンタクトレンズ等を捕捉する目皿を摺動自在に取り付けている。
そして、目皿を排水栓より取外す際は、目皿を下方に引下げると、支持軸の略中央部に周設した弾性部材を乗越えて、目皿は支持軸の周面を下方へ摺動して脱着される。
また、目皿は一般的に内周部より外周部が高くなるような椀形の形状をなし、支持軸に取り付けられている。（特許文献１を参照のこと）
【特許文献１】特開平１１−６１９３１号公報
【発明の開示】
【発明が解決しようとする課題】
【０００４】
ところが、従来品においては、目皿を支持軸に取り付けたり、支持軸から取り外したりする際、目皿が弾性部材を乗り越えるようになっているので、使用者の着脱の仕方によっては弾性部材を傷つけたり、摩耗による劣化が促進される。
また、通常設置状態では弾性部材を目皿の下方に露出して支持軸に設けているので、弾性部材は常に排水にさらされた環境下となり劣化しやすくなる他、排水栓を排水口から取り出したときに鋭利なもので弾性部材を傷つけ破損する可能性があり、掛り止め機能が低下し目皿が支持軸から抜落する可能性がある。
さらに、目皿は一般的に椀形の形状で挿入方向に対し非対称の形状であるため、使用者が目皿の清掃を終了後、再び目皿を支持軸に装着する時、誤った方向から装着する可能性があり、その場合、目皿本来の捕捉機能が損なわれることになる。
【０００５】
そこで、本発明では上記の問題点を解決するため、栓蓋、排水栓軸、目皿を備えた排水栓で、目皿を排水栓軸に係止する弾性部材の劣化や破損を防止するとともに、目皿を排水栓軸に装着する時に誤装着のない排水栓を提供することを目的とする。
【課題を解決するための手段】
【０００６】
本発明の請求項１では、栓蓋と、該栓蓋から垂設した排水栓軸と、該排水栓軸に着脱可能に取り付けられる目皿を備え、手洗い器や洗面器等の排水口に着脱自在に装着できる排水栓において、前記排水栓軸の外周面または前記目皿の内周面に弾性部材を設け、前記弾性部材の弾性力によって前記目皿を前記排水栓軸に取り付けたことを特徴とした。
【０００７】
これにより、目皿の取り付け、取り外しによる弾性部材の摩耗を抑制することができるとともに、弾性部材が露出することがないので、排水にさらされることなく弾性部材の劣化を緩和することや排水栓を排水口から取り出したときに鋭利なものによって破損することを防止することができる。
【０００８】
本発明の請求項２では、前記排水栓軸を取り巻くように配置され排水口内での前記排水栓軸の傾きを矯正する矯正部材を備え、前記目皿を前記栓蓋からの距離を一定に保つストッパ部を、前記矯正部材に取り付けたことを特徴とした。
本発明の請求項３では、前記目皿を前記栓蓋からの距離を一定に保つストッパ部を、前記排水栓軸に設けたことを特徴とした。
【０００９】
これにより、目皿を排水栓軸の所定の位置に確実に取り付けることができる。特に弾性部材を排水栓軸に取り付ける際は、目皿が弾性部材を乗り越えることがなく、排水栓軸の外周面と目皿の内周面の間に弾性部材を確実に介在させることができ、弾性部材を外的要因から保護することができる。
【００１０】
本発明の請求項４では、前記ボウル部からの溢れ水を防止する溢れ口と、前記ボウル部の底部に設けた排水口と、前記溢れ口から前記排水口に通じる排水通路を備えた洗面器に着脱自在に装着するものであって、前記目皿が前記排水通路の下方に位置するように前記ストッパー部を前記矯正部材または前記排水栓軸に設けたことを特徴とした。
【００１１】
これにより、目皿が排水通路より下方に取り付けられるため、排水通路から流れ出てくる毛髪やゴミも確実に捕捉することができる。
【００１２】
本発明の請求項５では、前記目皿は、前記内周面を有する内壁と、外壁と、毛髪やコンタクトレンズ等を捕捉する捕捉壁と、排水のための開口孔を備え、前記目皿の高さ方向に対して対称形状に形成したことを特徴とした。
【００１３】
これにより、使用者は清掃のため目皿を排水栓軸から取り外した後、排水栓軸に目皿を装着する際の方向性がなくなり、容易に取付けることができる。また逆方向から装着した場合でも目皿が毛髪、コンタクトレンズ等を捕捉する機能を維持することができる。
【発明の効果】
【００１４】
本発明においては、栓蓋、排水栓軸、目皿を備えた排水栓で、目皿を排水栓軸に係止する弾性部材の劣化や破損を防止するとともに、目皿を排水栓軸に装着する時に誤装着のない排水栓を提供することができる。
【発明を実施するための最良の形態】
【００１５】
以下に、本発明の排水栓を溢れ口を備えた洗面器を例にとり、図面を参照してより具体的に説明する。
一般的に洗面器１１０は、図１に示すように水を溜めるボウル部１２０が形成され、このボウル部１２０の底部には排水口部１１１、上方部にはボウル部１２０から水が溢れるのを防止する溢れ口１２１、ボウル部１２０の裏側で溢れ口１２１から排水口部１１１まで連通する排水通路１１０ｃが設けられている。また、洗面器１１０のボウル部１２０とは異なる位置に水栓器具１２２、排水口部１１１に取り付けられる排水栓１０４を遠隔操作する操作レバー１２３が備えられている。
【００１６】
洗面器１１０のボウル部１２０底部に設けた排水口部１１１は、排水栓本体１０１、排水栓本体１０１と洗面器１１０内周壁１１０ａの間をシールするＵ字状のＵパッキン１１５、排水栓本体１０１を洗面器１１０に固定する固定ナット１０３、洗面器１１０の外周壁１１０ｂと固定ナット１０３の間をシールするパッキン１０２で構成されている。
そして、洗面器１１０内周壁１１０ａ側からＵ字状のＵパッキン１１５を介して排水栓本体１０１が挿入され、洗面器１１０の外周壁１１０ｂ側からパッキン１０２を介して固定ナット１０３を螺合して排水栓本体１０１が洗面器１１０に固定される。（図２参照）そして、排水栓本体１０１に排水栓１０４が取り外し自在に挿入される。なお、排水栓本体１０１の先端には、操作レバー１２３の操作と連動し排水栓１０４を上下動させるキックレバー（図示しない）が設けられるとともに排水管（図示しない）が接続される。
【００１７】
次に、本発明の第一実施形態による排水栓１０４について、図３〜図５を用いて説明する。図３は、本発明の第一実施形態による排水栓の構成部材を示した断面図、図４は、本発明の第一実施形態による排水栓に取り付けられるガイドを示した図、図５は、本発明の第一実施形態による排水栓に取り付けられる目皿を示した図である。
図３に示すように、排水栓１０４は、栓蓋１０５と栓蓋１０５から垂設した排水栓軸１０６と、排水栓軸１０６に取り付けられる弾性部材１０９と、栓蓋１０５の下方に取り付けられる矯正部材１０７と、排水栓軸１０５の外周にスライド自在に嵌装された目皿１０８とから構成されている。
【００１８】
栓蓋１０５は、その上面側は残水が溜まらないように緩やかな凸状曲面形状に形成され、中央部は円柱状に形成され、その外周面には溝１０５ｂを周設しパッキン１１２が取り付けられている。下面側は、中央部より縮径され、その内部には排水栓軸１０６と接続するための雌ネジ部１０５ａが形成されている。
材質としては外観品となるためメッキ可能な黄銅あるいは樹脂材料又はステンレス又は樹脂材料をベースにステンレス薄板を被せたものが好ましい。
【００１９】
排水栓軸１０６は、円柱形状で上部は他より縮径され、その外周壁には栓蓋１０５とネジ固定するための雄ネジ部１０６ａが形成されている。下面部は後述するキックレバー（図示しない）の押圧作用点となるため、キックレバーの動作を確実に受けるための面積が確保されている。この場合は直径１０ｍｍ程度が好ましい。
また、排水栓軸１０６のほぼ中央部の外周に溝１０６ｂが周設され、この溝１０６ｂに弾性部材１０９が取り付けられる。この溝１０６ｂは、目皿１０８を排水栓軸１０６に装着する時、目皿１０８がガイド１０７と当接し、弾性部材１０９が排水栓軸１０６と目皿１０８の間に介在する位置に設定されるようになっている。すなわち、ガイド１０７の形状により溝１０６ｂの位置は自在に設定できるものである。
排水栓軸１０６の材質は、が確実に閉栓時に自重により降下できるように比重の大きなメタル、またはそれに代わる都合良く閉栓できる比重を持った材質のものが好ましい。
【００２０】
矯正部材１０７は、図４（ａ）に示すように中心部から半径方向に突出し下方へ延びる羽根１０７ａを等間隔に少なくとも３つ以上備えている。
矯正部材１０７の羽根１０７ａは、排水栓本体１０１内を排水栓１０４が殆ど抵抗なくスライド自在に移動できるように、その突出寸法、即ち半径方向寸法は排水栓本体１０１の内径よりも小さく形成されている。そして、羽根１０７ａは下方に延びており、その先端には、目皿１０８の挿入を制限するストッパー部１０７ｃを備えている。このストッパー部１０７ｃは、排水栓１０４を排水口本体１０１に取り付ける際、目皿１０８が排水通路１１０ｃより下方になるような位置で目皿１０８と当接するように下方に延設されている。（図４（ｂ）参照）
なお、羽根１０７ａは、排水栓本体１０１内の排水能力に影響を及ぼさないように羽根１０７ａの数やその厚みを自在に調整することが可能である。また、ストッパー部１０７ｃの位置は、排水栓１０４の大きさや上記した洗面器１１０の排水通路１１０ｃの有無によって自在に設定が可能である。
矯正部材１０７の中心部は排水栓軸１０６の雄ネジ部１０６ａ外径が挿通できる僅かに大きい挿通孔１０７ｂが設けられており、この挿通孔１０７ｂに排水栓軸１０６を挿入し、上方から栓蓋１０５と排水栓軸１０６を螺合して固定される。
材質は特に問わないがポリアセタールのような樹脂が好ましい。
このように、矯正部材１０７の主たる役割は、排水栓軸１０６下端を上下スライド操作される時に排水栓１０４が傾いて排水栓本体１０１の上方に引っ掛かることや使用者が排水栓１０４を排水栓本体１０１に挿入する時に傾いたまま取り付けられることを防止するためで、スムーズに排水栓本体１０１内を排水栓１０４が上下移動できるようにするためのものである。もう一つの役割は上述したように目皿１０８と当接することで目皿１０８の位置決めに利用されることである。
【００２１】
目皿１０８は、図５（ａ）に示すように内壁１０８ａ、外壁１０８ｂ及び毛髪やコンタクトレンズを補足するための捕捉壁１０８ｃを備え、図５（ｂ）に示すように目皿１０８の高さ方向に対する中心線Ｃ−Ｃに対して対称形状に形成されている。
内壁１０８ａの内部は、排水栓軸１０６の外径よりも僅かに大きく、排水栓軸１０６に配置された弾性部材１０９の外径よりも僅かに小さく形成された開口孔１０８ｄが設けられている。
捕捉壁１０８ｃは、内壁１０８ａから外壁１０８ｂに向けて放射状に複数設けられ、各捕捉壁１０８ｃ間は開口部１１３となっている。また、捕捉壁１０８ｃは、図５の（ｂ）に示すように内壁１０８ａの高さ方向のほぼ中心部から外壁１０８ｂの上面及び下面に向かって傾斜が形成されゴミを捕捉できるように略凹形状となっている。
外壁１０８ｂは、排水栓１０４が上下方向に移動する際に排水栓本体１０１の内径部と接触して引っかかって外れたりしないようにするため、外径は矯正部材１０７の外径よりも僅かに小さく形成されている。
【００２２】
上記の部材で構成される排水栓１０４の組み立ては、まず、排水栓軸１０６の縮径部に上方から矯正部材１０７を挿通し、栓蓋１０５の雌ネジ部１０５ａと排水栓軸１０６の雄ネジ部１０６ａを螺合して栓蓋１０５を排水栓軸１０６に固定する。そして、排水栓軸１０６の下方から弾性部材１０９を挿通し、排水栓軸１０６に設けた溝１０６ｂに弾性部材１０９を取り付けた後、目皿１０８を排水栓軸１０６に挿入し、目皿１０８が矯正部材１０７に当接するまで挿入して組み立てる。このとき、目皿１０８は、弾性部材１０９上に配置され、弾性部材１０９の弾性力によって保持されることになる。そして、排水栓１０４は、排水栓本体１０１内に挿入され、取り付けられる。
【００２３】
次に、排水栓１０４の開閉動作について説明する。排水栓１０４の開閉は、既に公知である遠隔操作によって行うものであり、図１に示す操作レバー１２３の押引操作によって行なわれる。この操作レバー１２３は、排水口部１１１の下方に設けたキックレバー（図示しない）と連接されており、操作レバー１２３の押引操作に連動する構造となっている。
通常、操作レバー１２３は押された状態にあり、このとき、キックレバー（図示しない）は排水栓軸１０６の下端を上方向へ押し上げ、排水栓１０４が排水栓本体１０１から突出して開栓状態になる。（図６参照）この状態で使用者が湯水を使用すると、湯水は、栓蓋１０５と排水栓本体１０１の間から流れ出て、矯正部材１０７の各羽根１０７ａ間、目皿１０８の開口部１１３を通って排水管（図示しない）に排水される。このとき、湯水と一緒に流れるゴミや毛髪は目皿１０８の捕捉壁１０８ｃによって捕捉される。
前述の状態から操作レバー１２３を引き上げるとキックレバー（図示しない）が下がると同時に排水栓１０４が自重により降下して栓蓋１０５が排水栓本体１０１を塞ぎ閉栓する。（図７参照）そして、ボール部１２０に湯水を溜めることができ、湯水を溜めて使用した後、操作レバー１２３を押すと上記のとおり開栓状態となって湯水が排水される。
このようにして、洗面器１１０に水を溜めたり排水したりできる。
【００２４】
次に、目皿１０８の清掃方法について説明する。まず、排水栓１０４を開栓状態にして排水栓１０４を排水栓本体１０１から取り出し、目皿１０８を排水栓軸１０６から栓蓋１０５と反対方向に引き抜く。
そして、取り外した目皿１０８に溜まったゴミ、毛髪等を手やブラシで掃除する。このように目皿１０８を排水栓軸１０６から容易に取り外すことができるので、目皿１０８の清掃を自在に行なうことができる。
さらに、目皿１０８を清掃した後、排水栓軸１０６に装着するとき、目皿１０８は挿入方向に対して対称形状のため、使用者は装着方向を気にする事無く、目皿１０８を排水栓軸１０６に挿入して矯正部材１０７に当接するまで装着すると、弾性部材１０９の弾性力で装着される。
このように、目皿１０８を挿入方向に対して対象に形成しているため、どちらから挿入しても同様の機能を発揮でき、目皿１０８の誤挿入がなくなる。
【００２５】
このように弾性部材１０９を目皿１０８と排水栓軸１０６との間に介在させ目皿を係止しているので、弾性部材１０９が排水にさらされることが無く、弾性部材１０９自体の劣化が緩和される。また、この弾性部材１０９の位置が目皿１０８の装着位置の目印とすることができ使用者に分かり易い。目皿１０８を排水栓軸１０９に挿入するとき、目皿１０８を弾性部材１０９より上方にスライド移動させようとしても矯正部材１０７と当接し弾性部材１０９を乗り越えることなく確実に弾性部材１０９上に目皿１０８が設置され、弾性部材を保護することができる。
【００２６】
なお、第一実施形態では目皿１０８の挿入を規制するストッパー部として矯正部材１０７を用いた場合について説明したが、図８に示すように排水栓軸１０６にストッパー部１０６ｃを設けることも可能である。
この場合、ストッパー部１０６ｃの位置は、矯正部材１０７に設けるときと同様、目皿１０８が排水通路１１０ｃより下方の位置になるように設定されることが好ましいが、排水栓１０４の大きさや排水通路１１０ｃの有無によって、その位置は自在に設定できるものである。
【００２７】
次に、第二実施形態による排水栓３００について図９を用いて説明する。基本的な構成は上述した第一実施形態の排水栓１０４と同様であるが、排水栓軸３０１と目皿３０２を保持する弾性部材３０３が目皿３０２の方に装着されている点で異なる。この場合、目皿３０２の内周面部に凹溝が周設されており、この凹溝にＯリングのような弾性部材３０３が嵌入されている。この弾性部材３０３を装着した目皿３０２を排水栓軸３０１の下端から挿入して排水栓軸３０１に係止するよう構成している。この形態の場合は弾性部材３０３が目皿３０２に装着されているため、排水栓軸３０１の端部３０１ａから矯正部材１０７のストッパー部１０７ｃと当接するまでの任意の場所で係止する効果を奏することになる。この形態においても排水栓軸３０１にストッパー部を設けることは可能である。
【００２８】
本実施は、洗面化粧台に取り付けられた目皿であるが、手洗い器、浴槽、浴室に適用可能である。
【図面の簡単な説明】
【００２９】
【図１】本発明の排水栓が取り付けられた洗面器化粧台を示した外観図である。
【図２】排水口部の構成部材を示した断面図である。
【図３】本発明の第一実施形態による排水栓の構成部材を示した断面図である。
【図４】本発明の第一実施形態による排水栓に取り付けられるガイドを示した図である。
【図５】本発明の第一実施形態による排水栓に取り付けられる目皿を示した図である。
【図６】本発明の第一実施形態による排水栓が開いた状態を示した断面図である。
【図７】本発明の第一実施形態による排水栓が閉じた状態を示した断面図である。
【図８】ストッパー部を設けた排水栓軸を示した断面図である。
【図９】本発明の第二実施形態による排水栓が開いた状態を示した断面図である。
【符号の説明】
【００３０】
１０１…排水栓本体
１０２…パッキン
１０３…固定ナット
１０４，３００…排水栓
１０５…栓蓋
１０６，３０１…排水栓軸
１０７…矯正部材
１０８，３０２…目皿
１０９，３０３…弾性部材
１１０…洗面器
１１１…排水口部
【図１】
2005273413.tif 000003
【図２】
2005273413.tif 000004
【図３】
2005273413.tif 000005
【図４】
2005273413.tif 000006
【図５】
2005273413.tif 000007
【図６】
2005273413.tif 000008
【図７】
2005273413.tif 000009
【図８】
2005273413.tif 000010
【図９】
2005273413.tif 000011